(57)【要約】      （修正有）【課題】患者に呼吸ガスを送達する患者マスク用のマスクフレームであって、著しい不快なしに使用者の顔面に対して十分なシールを提供するマスクフレームを提供する。【解決手段】マスクフレーム５は呼吸ガス送達導管に接続されるように構成された導管接続アパーチャ７７を備える中央領域７５と、各々が前記中心垂直平面から離れる方向に前記中央領域から外側に延在している、第１横方向アーム９７および第２横方向アーム９７と、を備え、各横方向アームが、ある長さを有し、前記中央領域から遠い遠位端で終端し、各横方向アームが上部マージン９３および下部マージン９５を備え、各横方向アームがその長さに沿ってねじれ、それにより、各横方向アームの端部における前記下部マージンが、各横方向アームの前記端部における前記上部マージンより前記概念的な中心垂直平面から離れて配置される【選択図】図４
2020179194.tif 000002
【特許請求の範囲】
【請求項１】
患者に呼吸ガスを送達する患者マスク用のマスクフレームであって、
呼吸ガス送達導管に接続されるように構成された導管接続アパーチャを備える中央領域であって、概念的な中心垂直平面が前記導管接続アパーチャの中心を通って延在する、中央領域と、
各々が前記中心垂直平面から離れる方向に前記中央領域から外側に延在している、第１横方向アームおよび第２横方向アームと、
を備え、
各横方向アームが、ある長さを有し、前記中央領域から遠い遠位端で終端し、各横方向アームが上部マージンおよび下部マージンを備え、
各横方向アームがその長さに沿ってねじれ、それにより、各横方向アームの端部における前記下部マージンが、各横方向アームの前記端部における前記上部マージンより前記概念的な中心垂直平面から離れて配置される、マスクフレーム。
【請求項２】
前記横方向アームが、
前記フレームの前記中央領域から横方向に外側に、
患者の耳に向かって後方に、かつ
前記横方向アームが、上方に傾斜し、それにより、前記横方向アームの前記端部から前記使用者の側頭と耳との間の領域まで延在する方向に沿って延在するように、上方に、
延在している、請求項１に記載のマスクフレーム。
【請求項３】
前記横方向アームが、前記鼻の下方から前記耳の頂部における前記側頭の間の箇所まで進むベクトルに沿って上方に延在している、請求項２に記載のマスクフレーム。
【請求項４】
各横方向アームが平面ストリップを備え、各ストリップの端部が、前記上部マージンおよび前記下部マージンそれぞれにおいて上隅および下隅を画定し、前記側部アームが、それらの長さに沿ってねじれ、それにより、前記横方向アームの前記端部の前記下隅が前記上隅より前記フレームの前記中央領域から離れて配置される、請求項１〜３のいずれか一項に記載のマスクフレーム。
【請求項５】
各横方向アームが、その長さに沿ってテーパ状であり、すなわち、前記上部マージンと前記下部マージンとの間の距離が、各横方向アームの長さの少なくとも一部に沿って低減している、請求項４に記載のマスクフレーム。
【請求項６】
前記横方向アームの前記端部が、前記エルボ接続アパーチャの中心を通る概念的な水平中間平面の下方に配置されている、請求項１〜５のいずれか一項に記載のマスクフレーム。
【請求項７】
各アームの前記端部が、前記フレームをヘッドギアに接続するように構成されたヘッドギアコネクタを備える、請求項１〜６のいずれか一項に記載のマスクフレーム。
【請求項８】
前記ヘッドギアコネクタが、ヘッドギアに取り付けられたヘッドギアクリップのフックのための接続箇所を提供するように構成されたループおよびポストを備える、請求項に記載のマスクフレーム。
【請求項９】
前記ヘッドギアコネクタが、前記ヘッドギアコネクタに接続されたヘッドギアと前記マスクフレームとの間の相対回転を制限するように構成された回転制限構造を備える、請求項７または８に記載のマスクフレーム。
【請求項１０】
前記回転制限構造が、前記マスクフレームと前記へドギアとの間の所定量の相対回転の後に前記ヘッドギアが当接する、端部止め具を備える、請求項９に記載のマスクフレーム。
【請求項１１】
マスクフレームと前記マスクフレームに接続されるように構成されたヘッドギアとを備えるマスクアセンブリであって、前記マスクフレームおよび前記ヘッドギアのうちの少なくとも一方が、ポストを備えるコネクタを備え、前記マスクフレームおよび前記ヘッドギアのうちの他方が、フックを備えるコネクタを備え、前記フックが、前記フックが前記ポストを中心に前記マスクフレームに向かってかつ前記マスクフレームから離れる方向に回転することができるように、前記ヘッドギアを前記マスクフレームに接続するように前記ポストを受け入れるように構成され、前記マスクアセンブリが、前記フックと前記ポストとの間の相対回転の範囲を制限するように構成された少なくとも１つの回転制限構造をさらに備える、マスクアセンブリ。
【請求項１２】
前記回転制限構造が、前記マスクフレームおよび前記ヘッドギアのうちの一方に端部止め具を備え、それに対して、前記マスクフレームおよび前記ヘッドギアのうちの他方が、前記マスクフレームと前記ヘッドギアとの間の所定量の相対回転の後に当接する、請求項１１に記載のマスクアセンブリ。
【請求項１３】
２つの端部止め具を備え、一方が前記マスクフレームにあり、他方が前記ヘッドギアにあり、前記端部止め具が、前記マスクフレームと前記ヘッドギアとの間の所定量の相対回転の後に当接するように構成されている、請求項１２に記載のマスクアセンブリ。
【請求項１４】
一方の端部止め具が前記フックに設けられ、他方の端部止め具が前記ポストに設けられている、請求項１３に記載のマスクアセンブリ。
【請求項１５】
前記フックおよび前記ポストのうちの少なくとも一方が、２つの間隔を空けて配置された端部止め具を備え、前記フックと前記ポストとの間の相対運動は、前記２つの間隔を空けて配置された端部止め具の間の距離によって制限される、請求項１４に記載のマスクアセンブリ。
【請求項１６】
前記端部止め具のうちの一方が、前記フックおよび前記ポストのうちの一方から突出する突出部を備え、前記フックおよび前記ポストのうちの他方が、対向する端部を有する溝または凹部を備え、前記対向する端部が、前記２つの間隔を空けて配置された端部止め具を形成し、前記突出部が、前記ヘッドギアが前記マスクフレームに接続されたときに前記溝または凹部に受け入れられ、かつ、前記突出部が前記溝または凹部内で前記対向する端部の間で移動するように、構成されている、請求項１４に記載のマスクアセンブリ。
【請求項１７】
前記溝または凹部が前記ポストに設けられ、前記突出部が前記フックに設けられている、請求項１４に記載のマスクアセンブリ。
【発明の詳細な説明】
【技術分野】
【０００１】
あらゆる優先権出願の参照による援用
本出願は、２０１４年７月１１日に出願された米国特許出願第６２／０７７０７１号明細書および２０１５年８月３１日に出願された米国特許出願第６２／２１２４３１号明細書に対する優先権を主張し、それら出願の両方の内容全体が、参照により本明細書に組み込まれる。
【０００２】
技術分野
本開示の主題発明は、概して、受容者に加圧ガスを供給するためのインタフェースに関する。
【背景技術】
【０００３】
呼吸ガスは、種々の異なるマスクスタイルで使用者に送達することができ、種々の異なる目的で送達することができる。たとえば、使用者に対して、非侵襲的換気（ＮＩＶ）を用いて換気することができる。さらに、閉塞性睡眠時無呼吸（ＯＳＡ）、慢性閉塞性肺疾患（ＣＯＰＤ）またはうっ血性心不全（ＣＨＦ）等の内科的疾患を治療するために、マスクを使用して持続陽圧呼吸療法（ＣＰＡＰ）または可変気道圧を送達することができる。
【０００４】
これらの非侵襲的換気および圧支持（プレッシャーサポート）療法では、一般に、使用者の顔面における、典型的には鼻マスクまたは鼻／口マスクであるユーザインタフェース装置の配置を必要とする。呼吸ガスの流れは、圧力／流れ発生装置からマスクを通して使用者の気道まで送達することができる。
【発明の概要】
【発明が解決しようとする課題】
【０００５】
通常、患者インタフェース装置は、封止部材を支持するマスクフレームを含む。封止部材は、鼻および鼻孔を含む、鼻を包囲する領域を含む、使用者の顔面と接触する。こうしたマスクは、通常、長期間着用されるため、種々の問題を考慮しなければならない。たとえば、ＯＳＡを治療するためにＣＰＡＰを提供するために、使用者は通常、眠っている間、一晩中マスクを着用する。こうした状況における１つの問題は、マスクが可能な限り快適でなければならないということである。マスクが、著しい不快なしに使用者の顔面に対して十分なシールを提供することも重要である。
【課題を解決するための手段】
【０００６】
本発明の第１態様によれば、患者に呼吸ガスを送達する患者マスク用のマスクフレームが提供され、マスクフレームは、
呼吸ガス送達導管に接続されるように構成された導管接続アパーチャを備える中央領域であって、概念的な中心垂直平面が前記導管接続アパーチャの中心を通って延在する、中央領域と、
各々が中心垂直平面から離れる方向に中央領域から外側に延在している、第１横方向アームおよび第２横方向アームと、
を備え、
各横方向アームは、ある長さを有し、中央領域から遠い遠位端で終端し、各横方向アームが上部マージンおよび下部マージンを備え、
各横方向アームは、その長さに沿ってねじれ、それにより、各横方向アームの端部における下部マージンが、各横方向アームの端部における上部マージンより概念的な中心垂直平面から離れて配置される。
【０００７】
横方向アームは、
フレームの中央領域から横方向に外側に、
患者の耳に向かって後方に、かつ
横方向アームが、上方に傾斜し、それにより、横方向アームの端部から使用者の側頭と耳との間の領域まで延在する方向に沿って延在するように、上方に、
延在することができる。横方向アームは、鼻の下方から耳の頂部における側頭の間の箇所まで進むベクトルに沿って上方に延在することができる。
【０００８】
各横方向アームは、平面の、概して長方形のストリップまたはバンドを備えることができ、各ストリップの端部は、上部マージンおよび下部マージンそれぞれにおいて上隅および下隅を画定し、側部アームは、それらの長さに沿ってねじれ、それにより、横方向アームの端部の下隅は、上隅よりフレームの中央領域から離れて配置される。
【０００９】
各横方向アームは、その長さに沿ってテーパ状とすることができ、すなわち、上部マージンと下部マージンとの間の距離が、各横方向アームの長さの少なくとも一部に沿って低減している。
【００１０】
横方向アームの端部は、エルボ接続アパーチャの中心を通る概念的な水平中間平面の下方に配置することができる。
【００１１】
各アームの端部は、フレームをヘッドギアに接続するように構成されたヘッドギアコネクタを備えることができる。ヘッドギアコネクタは、ヘッドギアに取り付けられたヘッドギアクリップのフックのための接続箇所を提供するように構成されたループおよびポストを備えることができる。
【００１２】
いくつかの実施形態では、ヘッドギアコネクタは、ヘッドギアコネクタに接続されたヘッドギアとマスクフレームとの間の相対回転を制限するように構成された回転制限構造を備えることができる。回転制限構造は、マスクフレームとへドギアとの間の所定量の相対回転の後にヘッドギアが当接する、端部止め具を備えることができる。回転制限構造をポストに設けることができる。回転制限構造は、２つの間隔を空けて配置された端部止め具を備えることができ、ヘッドギアとマスクフレームとの間の相対運動は、２つの間隔を空けて配置された端部止め具の間の距離によって制限される。
【００１３】
本発明の別の態様によれば、第１態様のマスクフレームを備えるマスクアセンブリであって、マスクフレームの横方向アームに接続されるように構成されたヘッドギアと、マスクフレームに取り付けられるように構成された封止クッションとをさらに備えるマスクアセンブリが提供される。
【００１４】
本発明のさらなる態様によれば、マスクフレームとマスクフレームに接続されるように構成されたヘッドギアとを備えるマスクアセンブリであって、マスクフレームおよびヘッドギアのうちの少なくとも一方が、ポストを備えるコネクタを備え、マスクフレームおよびヘッドギアのうちの他方が、フックを備えるコネクタを備え、フックが、フックがポストを中心にマスクフレームに向かってかつマスクフレームから離れる方向に回転することができるように、ヘッドギアをマスクフレームに接続するようにポストを受け入れるように構成され、マスクアセンブリが、フックとポストとの間の相対回転の範囲を制限するように構成された少なくとも１つの回転制限構造をさらに備える、マスクアセンブリが提供される。
【００１５】
回転制限構造は、マスクフレームおよびヘッドギアのうちの一方に端部止め具を備えることができ、それに対して、マスクフレームおよびヘッドギアのうちの他方が、マスクフレームとヘッドギアとの間の所定量の相対回転の後に当接する。２つの端部止め具を設けることができ、一方はマスクフレームにあり、他方はヘッドギアにあり、端部止め具は、マスクフレームとヘッドギアとの間の所定量の相対回転の後に当接するように構成されている。一方の端部止め具をフックに設けることができ、他方の端部止め具をポストに設けることができる。
【００１６】
フックおよびポストのうちの少なくとも一方は、２つの間隔を空けて配置された端部止め具を備えることができ、フックとポストとの間の相対運動は、２つの間隔を空けて配置された端部止め具の間の距離によって制限される。端部止め具のうちの一方は、フックおよびポストのうちの一方から突出する突出部を備えることができ、フックおよびポストのうちの他方は、対向する端部を有する溝または凹部を備えることができ、対向する端部は、２つの間隔を空けて配置された端部止め具を形成し、突出部は、ヘッドギアがマスクフレームに接続されたときに溝または凹部に受け入れられ、かつ、突出部が溝または凹部内で対向する端部の間で移動するように、構成されている。溝または凹部をポストに設けることができ、突出部をフックに設けることができる。
【００１７】
本発明の別の態様によれば、ヘッドギアをマスクに接続するヘッドギアコネクタアセンブリが提供され、ヘッドギアコネクタアセンブリは、ポストを備える第１コネクタと、フックを備える第２コネクタとを備え、フックは、フックがポストを中心に回転することができるように、第１コネクタを第２コネクタに接続するようにポストを受け入れるように構成され、ヘッドギアコネクタアセンブリは、フックとポストとの間の相対回転の範囲を制限するように構成された少なくとも１つの回転制限構造をさらに備える。
【００１８】
本発明のさらなる態様によれば、マスクフレームとマスクフレームに接続されるように構成されたヘッドギアとを備えるマスクアセンブリが提供され、マスクフレームは、
呼吸ガス送達導管に接続されるように構成された導管接続アパーチャを備える中央領域であって、概念的な中心垂直平面が導管接続アパーチャの中心を通って延在する、中央領域と、
各々が中心垂直平面から離れる方向に中央領域から外側に延在している、第１横方向アームおよび第２横方向アームと、
を備え、
各横方向アームは、ある長さを有し、中央領域から遠い遠位端で終端し、各横方向アームが上部マージンおよび下部マージンを備え、
各横方向アームは、その長さに沿ってねじれ、それにより、各横方向アームの端部における下部マージンが、各横方向アームの端部における上部マージンより概念的な中心垂直平面から離れて配置され、
ヘッドギアは、横方向アームの端部に回転可能に接続されるように構成されたヘッドギアコネクタを有するストラップを備え、
マスクアセンブリは、マスクフレームとヘッドギアとの間の相対回転の範囲を制限するように構成された少なくとも１つの回転制限構造をさらに備える。
【００１９】
本発明のさらなる態様によれば、閉ループヘッドギア用のバックルが提供され、バックルは、
底面と上面との間に延在する内側面および外側面と、
各々が上面と底面との間に延在する内側ポスト、中心ポストおよび外側ポストと、
内側ポストと中心ポストとの間に配置され、かつヘッドギアストラップループの一部を受け入れるように構成された摩擦ループ開口部と、
少なくとも内側面に形成された正面開口部と、
少なくとも外側面に形成された外側開口部と、
外側ポストと中心ポストとの間の正面開口部と外側開口部との間に延在するヘッドギアストラップ通路であって、ヘッドギアストラップループの戻り部分を受け入れるように構成された通路と、
を備え、
正面開口部および外側開口部は、ヘッドギアストラップ通路が傾斜するようにずれている。
【００２０】
バックルは、ヘッドギアストラップ通路に沿って外側ポストの内側面に位置するストラップ取付面をさらに備えることができ、ストラップ取付面は、ヘッドギアのストラップに取り付けられるように構成される。
【００２１】
正面開口部は、バックルの底面に隣接して形成することができ、それにより、正面開口部は、底面と内側面の両方を通って延在する。
【００２２】
外側開口部は、外側面に沿って、底面から間隔を空けて配置されるように距離をあけて形成することができる。
【００２３】
摩擦ループ開口部は上部マージンおよび下部マージンを備えることができ、それらのうちの少なくとも一方は、傾斜通路を通るヘッドギアストラップの戻り部分の角度により、ヘッドギアストラップループと摩擦係合するように構成される。
【００２４】
本発明のさらなる態様によれば、閉ループヘッドギアであって、
上述した本発明の態様によるバックルと、
後方ヘッドギア部分と、
後方ヘッドギア部分から前方に延在する少なくとも１つのストラップであって、内側ポストと中心ポストとの間で摩擦ループ開口部を通過する少なくとも１つのストラップと、を備える閉ループヘッドギアが提供される。
【００２５】
ストラップは、好ましくは、続いて、ヘッドギアのフックコネクタを通過し、折り返してヘッドギアの戻り部分を形成し、傾斜したヘッドギアストラップ通路を通って戻る。
【００２６】
ストラップは、外側開口部からバックルを通って延在するグリップストラップ端部を含むことができる。グリップストラップ端部は、親指と１つまたは２つの指との間でつかむのに十分長い長さを有することができる。グリップストラップ端部の遠位端に、さらなる把持のためのくぼみを設けることができる。
【００２７】
後部ヘッドギア部分は、二又後方部分を備えることができる。
【００２８】
本発明のさらなる態様によれば、患者マスクアセンブリに呼吸ガス送達導管を接続するエルボが提供され、エルボは、
ボールジョイント部分および底部と、
ボールジョイント部分および底部を接続する細長いチューブ部分と、
を備え、
細長いチューブ部分は、底部、およびボールジョイント部分の最大径より、幅が狭い。
【００２９】
細長いチューブ部分は、使用時に使用者から離れる方向に面するように構成された正面部分と、使用時に使用者に向かう方向に面するように構成された背面部分とを含むことができ、正面部分は背面部分より長い。
【００３０】
細長いチューブ部分は切頭頂部を形成することができ、そこで、正面部分および背面部分がボールジョイント部分に接続する。
【００３１】
細長いチューブ部分は、細長いチューブ部分の長手方向軸とボールジョイント部分の長手方向軸との間に角度θを有するエルボを形成することができる。
【００３２】
細長いチューブ部分の正面部分は、使用中にＣＯ２ウォッシュアウトを可能にするように構成された複数のバイアス流穴を含むことができる。複数のバイアス流穴を、正面部分の長さに沿って列で配置することができ、一実施形態では、複数のバイアス流穴は、２つの列の２つのアレイで配置され、２つのアレイの間に空間がある。各部分内の列は、ずれている場合があり、それにより、各行のバイアス流穴は、互いに対して入れ子になっており、すなわち、１つの列のバイアス流穴は、隣接する列のバイアス流穴の間の空間に少なくとも部分的に配置される。１つの列は、別の列とは異なる数のバイアス流穴を有することができる。
【００３３】
細長いチューブ部分は、各々が切欠きを有する側面部分を含むことができる。切欠きは、対応する形状を有するディフューザ本体の特徴を受け入れるように構成することができる。
【００３４】
本発明の他の態様では、以下が提供される。
【００３５】
Ａ：図示し記載するような装置。
【００３６】
Ｂ：３次元曲率を有する側部アームを備えるマスクフレーム。側部アームは、フレームの中心から外側に、患者の耳に向かって後方に、かつ鼻の下方から側頭と耳の頂部との間の箇所まで進むベクトルに沿って上方に延在することができる。側部アームは、それらの長さに沿ってねじれることができ、それにより、側部アームの端部の下隅は、上隅よりフレームの中央部分から離れて配置される。
【００３７】
Ｃ：
ボール部分および幅広底部と、
ボール部分および幅広底部を接続する細長いチューブ部分と、
を備え、
細長いチューブ部分が、幅広底部、およびボール部分の最大径より、幅が狭い、エルボ。細長いチューブ部分は、（使用時に使用者およびマスクから離れる方向に面する）長い正面部分と、（使用時に使用者およびマスクに向かう方向に面する）短い背面部分とを含むことができる。細長いチューブ部分は、切頭頂部を形成することができ、そこで、長い正面部分および短い背面部分がボール部分に接続する。細長いチューブ部分は、概して、角度θを有するエルボを形成する。細長いチューブ部分の長い正面部分は、使用中のＣＯ２ウォッシュアウトのための複数のバイアス穴を含むことができる。複数のバイアス穴は、長い正面部分の長さに沿って列で配置することができる。複数のバイアス穴は、２つの列の２つの部分で配置することができ、２つの部分の間に空間がある。各部分内の列は、ずれている場合があり、それにより、各行のバイアス穴は互いに対して入れ子になる。細長いチューブ部分は、各々が切欠きを有する側面部分を含むことができる。切欠きは、ディフューザ本体の対応する形状を受け入れるように構成することができる。
【００３８】
Ｄ．閉ループヘッドギア用のバックルであって、
底面および上面と、
各々が上面と底面とのとの間に延在する内側ポスト、中心ポストおよび外側ポストと、  内側ポストと中心ポストとの間の摩擦ループ開口部と、
外側ポストと中心ポストとの間に正面開口部および外側開口部を備える通路と、
を備え、
正面開口部および外側は、ずれて、傾斜通路を形成する。外側通路の内側に、ストラップ取付面を配置することができる。
【００３９】
Ｅ：上記態様Ｄによるバックルを備える閉ループヘッドギアであって、
後方部分から前方に延在する少なくとも１つのストラップが、内側ポストと中心ポストとの間でバックルを通過する、閉ループヘッドギアを提供することができる。ストラップは、続いて、フックコネクタを通過し、折り返して、バックルの中心ポストおよび外側ポストを通って戻る。ストラップは、外側開口部からバックルを通って延在するグリップストラップ端部を含むことができる。グリップストラップ端部は、親指と１つまたは複数の指との間でつかむのに十分長い長さを有することができる。グリップストラップ端部の遠位端に、さらなる把持のためのくぼみを設けることができる。後方部分は二又後部であり得る。
【００４０】
本発明のさまざまな特徴、態様および利点は、種々の方法のうちの任意のもので実施することができる。たとえば、本明細書ではいくつかの実施形態について記載しているが、実施形態のうちの任意のものからの特徴のセットまたはサブセットを、他の実施形態のうちの任意のものからの特徴のセットまたはサブセットとともに使用することができる。
【００４１】
「備えている、含んでいる（ｃｏｍｐｒｉｓｉｎｇ）」という用語は、本明細書および特許請求の範囲で使用され、「少なくとも一部は〜から構成されている」を意味する。本明細書及び特許請求の範囲において「備えている、含んでいる」を含む文を解釈するとき、その用語の前にくる特徴以外の特徴もまた存在する可能性がある。「備える、含む（ｃｏｍｐｒｉｓｅ、ｃｏｍｐｒｉｓｅｓ）」等の関連する用語も同様に解釈されるべきである。
【００４２】
本明細書において、特許出願、他の外部文献または他の情報源について参照する場合、これは、概して、本発明の特徴について考察するための状況を提供することを目的とするものである。特に別段の定めのない限り、こうした外部文献に対する参照は、こうした文献またはこうした情報源が、いずれかの権限において、従来技術であるかまたは本技術分野における共通の一般知識の一部を形成する、ということを容認するものとして解釈されるべきではない。
【００４３】
本発明のこれらおよび他の特徴、態様および利点について、以下の図面を参照して説明する。
【図面の簡単な説明】
【００４４】
【図１】使用者の鼻孔に直接加圧呼吸ガスの流れを提供するように構成された鼻呼吸マスクの限定しない例示的な実施形態の上面正面左側斜視図である。
【図１ａ】図１のマスクと使用することができる可撓性ガス供給導管、エルボアセンブリおよびスイベルアセンブリの正面図である。
【図１ｂ】図１ａの可撓性ガス供給導管、エルボアセンブリおよびスイベルアセンブリの側面図である。
【図１ｃ】図１ａおよび図１ｂのエルボアセンブリおよび可撓性ガス供給導管の拡大斜視図である。
【図２ａ】図１のマスクに組み込むことができる封止クッションの限定しない例示的な実施形態の上面正面左側斜視図である。
【図２ｂ】図２ａの封止クッションの底背面右側斜視図である。
【図３ａ】近位側、遠位側、中央領域、および中央領域の両側から延在する横方向アームを備え、かつ、図１のマスクに図２ａおよび図２ｂの封止クッションとともに組み込むことができる、マスクフレームの限定しない例示的な実施形態の上面正面左側斜視図である。
【図３ｂ】図３ａのマスクフレームの底面背面右側斜視図である。
【図４】図３ａおよび図３ｂのマスクフレームの直交正面図を示す。
【図５】図３ａおよび図３ｂのマスクフレームの対応する直交上面図を示す。
【図６】図３ａおよび図３ｂのマスクフレームの対応する直交側面図を示す。
【図７】使用時の使用者Ｕの上の呼吸マスクの側面図である。
【図８】任意選択的に図２ａおよび図２ｂの封止クッションならびに図３ａおよび図３ｂのマスクフレームとともに、図１のマスクに組み込むことができる、エルボの限定しない例示的な実施形態を示す。
【図８Ａ−Ｆ】任意選択的に図２ａおよび図２ｂの封止クッションならびに図３ａおよび図３ｂのマスクフレームとともに、図１のマスクに組み込むことができる、エルボの限定しない例示的な実施形態を示す。
【図９Ａ−Ｄ】図８および図８Ａ〜図８Ｆのエルボに接続するように構成されたディフューザの限定しない例示的な実施形態を示す。
【図１０Ａ−Ｅ】図８および図８Ａ〜図８Ｆのエルボとディフューザアセンブリとを示し、ディフューザは、バイアス穴が覆われるようにエルボに接続されている。
【図１１Ａ−Ｂ】閉ループヘッドギアを備えるマスクアセンブリの限定しない例示的な実施形態を示す。
【図１２Ａ−Ｆ】閉ループヘッドギアで使用されるバックルの限定しない例示的な実施形態を示す。
【図１３Ａ−Ｂ】閉ループヘッドギアで使用されるバックルおよびストラップの外側斜視図である。
【図１４Ａ−Ｂ】ヘッドギアストラップは断面でバックルを通過する。
【図１５Ａ−Ｂ】摺動モードおよび摩擦モードにある閉ループヘッドギアを示す。
【図１６Ａ−Ｆ】ヘッドギアをマスクに接続するヘッドギアコネクタアセンブリの限定しない例示的な実施形態を示す。
【発明を実施するための形態】
【００４５】
本明細書で用いる「保持力」という用語は、使用者の顔面上で呼吸マスクを保持するためにヘッドギアによって加えられる任意の力を指す。
【００４６】
図１は、加圧された呼吸ガスの流れを使用者の鼻孔に直接提供するように構成された鼻呼吸マスク１の限定しない例示的な実施形態を示す。呼吸マスク１は、封止クッション３、マスクフレーム５、エルボアセンブリ７、可撓性ガス供給導管９、スイベルアセンブリ１１、ヘッドギア１３および一対のヘッドギアクリップ１５を備える。
【００４７】
エルボおよび可撓性ガス供給導管
図１ａ〜図１ｃを参照すると、エルボアセンブリは、マスクフレーム５（たとえば、図１および図３ａを参照）のエルボ接続アパーチャ７７に接続するように構成されている。
エルボアセンブリ７は、ボールジョイント部分２１および幅広底部２３を含む。細長いチューブ部分２５が、ボールジョイント部分２１および幅広底部２３を接続している。この例では、細長いチューブ部分２５は、幅広底部２３、およびボールジョイント部分２１の最大径より、幅が狭い。細長いチューブ部分２５は、（使用時、使用者およびマスク１から離れる方向に面する）長い正面部分２７と（使用時、使用者およびマスクフレーム５に向かう方向に面する）短い背面部分２９とを含む。細長いチューブ部分２５は、切頭頂部３１を形成し、そこで、長い正面部分２７および短い背面部分２９がボールジョイント部分２１に接続する。この構成では、細長いチューブ部分２５は、概して、その長さに沿って曲げ部を有するエルボを形成し、それにより、エルボアセンブリ７に対する導管受入部分の長手方向軸は、ボールジョイント部分２１の長手方向と位置合せされない。
【００４８】
細長いチューブ部分２５の長い正面部分２７は、使用中のＣＯ２ウォッシュアウト（ｗａｓｈｏｕｔ）のための複数のバイアス流穴３５を含む。複数のバイアス流穴３５は、長い正面部分の長さに沿って列で配置されており、列は、概して、細長いチューブ部分２５の長手方向軸と位置合せされている。特に、この例では、複数のバイアス流穴３５は、３つの中央の長い方の列と２つの側方の短い方の列とで配置され、２つの部分の間に空間がある。各長い中央の列は、この例では、１２のバイアス流穴を有し、各短い側方の列は、７つのバイアス流穴を有する。それらの列は、長い正面部分２７のテーパ状の鍵穴状領域に配置されている。
【００４９】
幅広底部２３は、導管受入部分から同心状にずれている短いチューブ部分であり、それにより、それらの２つの間に環状チャネルが形成されている。導管受入部分は、その外面に可撓性ガス供給導管９を受け入れるように構成されている。環状チャネルは、可撓性ガス供給導管９の端部を受け入れかつ保持するように構成されている。導管受入部分は、可撓性ガス供給導管９を保持するように構成されている雄ねじを含む。幅広底部２３は、可撓性ガス供給導管９の端部を隠すように構成されている。
【００５０】
可撓性ガス供給導管９は、外部らせん状ビード４１とビード４１によって支持される薄い導管壁４３とを備える可撓性チューブである。ビード４１は、導管９に加熱を提供するか、または導管９に沿ってデータまたはセンサ信号を移送するための、導電性ワイヤまたはストリップを含むことができる。薄壁４３は、各隣接するらせん状コイルの間に半径方向外側に向けられた折目または曲げ部４５を備えている。この外側に向けられた折目４５は、ビード４１ほど外側に突出せず、それにより、図１ａ〜図１ｃに示すように、導管９が中立状態にあるとき、折目の直径はビードの直径より小さい。ビード４１および折目４５は、導管９が、可撓性があり、曲がることができかつ長手方向に伸長するかまたは収縮することができるように、構成されている。折目４５により、導管９は、使用時にまっすぐでないように曲がることができる。折目４５によって、導管９の長さを変更することも可能になる。ビード４１は、導管９のいかなる屈曲、伸長または収縮も弾力性があるように、ばねとして構成することができ、ビード４１および／または折目は、導管９の端部に力が加えられていないとき、導管９をその中立状態に戻す。
【００５１】
封止クッション
封止クッション３は、加圧された呼吸用ガスが鼻道に直接送達されるように、使用者の鼻の鼻孔および外側に面する面と係合しかつ実質的気密シールを形成するように構成されている。こうしたシールについては、内容全体が参照により本明細書に組み込まれる、２０１４年７月１７日に出願されたＰＣＴ／ＮＺ２０１４／０００１５０号明細書（国際公開第２０１５００９１７２号パンフレット）に記載されている。
【００５２】
封止クッション３は、好ましくは、シール本体５１およびマスクフレームコネクタ５３を備える。シール本体５１は、軟質かつ可撓性材料から形成することができ、それにより、内部空洞を画定する柔軟なポケットまたは覆いが提供される。シール本体５１は、限定されないが、ラテックス、ビニル、シリコーンまたはポリウレタン等、任意の適切な材料から作製することができる。
【００５３】
図２ａおよび図２ｂを参照すると、シール本体５１は、中央部５５と中央部５５の各側から延在する第１側部５７および第２側部５７とを備える。シール本体５１は、内側５９（図２ｂ）および外側６１（図２ａ）をさらに備える。内側５９は、使用時に使用者の顔面に対して近位側に配置され、封止面、安定化面および位置決め面を提供するように構成されている。外側６１は、使用時に内側５９に対して、使用者の顔面に対して遠位側に配置され、封止クッション３に構造を提供するように構成されている。
【００５４】
中央部分５５の内側５９は、使用者の鼻の基部を横切って延在するように構成され、側部５７の各々の内側は、鼻の側面の周囲で湾曲しかつそこを横切って延在するように構成されている。これらの側部５７は、鼻の外側に面する面すなわち側面（ｆｌａｎｋ）に周囲シールを形成することができる。側部５７は、下隅において使用者の鼻から離れる方向に外側に広がり、それにより、食い込むことなく使用者の頬に接触する。側部５７と使用者の頬との間の接触により、呼吸マスク１を安定化するために、ヘッドギア１３によって使用者の顔面に保持力を加えることができる場所が提供される。
【００５５】
内側５９は、薄い壁厚さを有し、それにより、シール本体５１は、柔軟であり、使用者の鼻の形状に沿うことができる。外側６１は、内側５９より大きい壁厚さを有し、それにより、より柔軟な内側５９に対して構造および安定性を提供する。
【００５６】
中央部分５５の内側５９は、一対のプロング６２をさらに備える。プロング６２は、空気送達開口部６３および位置決め面６５を備える。空気送達開口部６３は、加圧された呼吸用ガスの流れがシール本体５１内から使用者の気道に進むのを可能にするように構成されている。位置決め面６５は、使用者の鼻孔内でプロング６２を位置決めしかつ封止し、鼻の上に封止クッション３を配置する手段を提供するように構成されている。
【００５７】
マスクフレームコネクタ５３は、中央部分５５の外側６１内に位置し、任意の適切な手段によりシール本体５１に永久的に取り付けられる実質的に剛性のリングを備える。マスクフレームコネクタ５３は、加圧された呼吸用空気がシール本体５１内に送達される際に通る入口を提供するように構成されている。マスクフレームコネクタ５３は、封止クッション３とマスクフレーム５との間に実質的に気密の接続部を提供するようにさらに構成されており、マスクフレーム５および封止クッション３は、繰り返し組み立てかつ分解することができる。マスクフレーム５とマスクフレームコネクタ５３との間の接続は、限定されないが、スナップフィット、摩擦嵌合、ねじ切りまたはバヨネット機構を含む任意の適切な手段によって達成することができる。
【００５８】
マスクフレーム
図３ａおよび図３ｂに示すように、マスクフレーム５は、近位側７１（図３ｂ）と、遠位側７３（図３ａ）と、中央領域７５と、中央領域７５の各側から延在する第１横方向アーム９７および第２横方向アーム９７とを備える。横方向アーム９７は、各々、各アーム９７の長さに沿って延在する細長い上部マージンおよび下部マージンを有する概して長方形の平面ストリップを備える。したがって、横方向アーム９７は、正面から見ると比較的幅が広いが、上方から見ると比較的幅が狭い。近位側７１は、封止クッション３に隣接しかつ使用時に使用者の顔面に対して近位側にあるように構成されている。遠位側７３は、マスクフレーム５の外面を形成する。中央領域７５の遠位側７３は、任意選択的に円形であり得るエルボ接続アパーチャ７７を備える。エルボ接続アパーチャ７７は、エルボアセンブリ１７のボールジョイント２１を受け入れるように構成されている。エルボ接続アパーチャ７７から半径方向外側に、平面の表面８１が延在している。
【００５９】
中央領域７５の近位側７１は、エルボ接続アパーチャ７７の周囲に、封止クッション３に向かって後方向に突出する環状壁８３を備える。
【００６０】
環状壁８３は、内側面８５および外側面８７を備える。内側面８５は、ボールジョイントソケットを形成するように構成された凹状球形部分を備える。ボールジョイントソケットは、エルボアセンブリ１７、すなわちボールジョイント部分２１の対応する形状に接続するように構成されている。外側面８７は、封止クッション３のマスクフレームコネクタ５３の対応する形状に結合されるように構成された１つまたは複数の窪み９１を備え、それにより、マスクフレーム５とクッションシールとの間の接続が達成される。
【００６１】
図４は、マスクフレーム５の直交正面図を示す。この図は、平面の表面８１（たとえば図３ａを参照）と一致する正面８０に対して垂直である。マスクフレーム５は、エルボ接続アパーチャ７７の中心を通る中心垂直面「ｙ」を中心に対称である。マスクフレーム５は、上縁マージン９３および下縁マージン９５をさらに備え、それらはともに、一方の横方向アーム９７から中央領域７５を通って他方の横方向アーム９７まで延在している。上縁マージン９３は、図４の図においてかつ使用時に、下縁マージン９５の上方にあるように配置される。中央領域７５内で、上縁マージン９３は、エルボ接続アパーチャ７７からずれ、実質的にその曲率に従う。上縁マージン９３は、中央領域７５から横方向アーム９７の各々まで遷移するに従い、大幅に下向きの方向において外側に（中央垂直面「ｙ」から離れる方向に水平に）テーパ状になっている。下縁マージン９５は、中央垂直面「ｙ」領域から幾分か上向きの方向において外側に湾曲している。それは、中央領域７５の端部から横方向アーム９７の各々の端部に向かって遷移するに従い、わずかに下向きの方向において湾曲している。
【００６２】
上縁マージン９３および下縁マージン９５のテーパ状遷移部は、横方向アーム９７を形成し、横方向アーム９７は、中央領域７５の各側から外側に延在する実質的に細長いテーパ状部材である。横方向アーム９７は、ヘッドギアクリップ（たとえば、図１４Ａを参照）に対する接続箇所を提供するように構成されたループ９９およびポスト１０１を備える。ループ９９は、遠位面に対して垂直に横方向アーム９７を通って延在する矩形アパーチャである。代替実施形態では、アパーチャは、任意の適切な形状を有することができる。
ポスト１０１は、ループ９９の外壁によって形成され、横方向アーム９７の外端部を形成し、実質的に円筒状である。ポスト１０１は、中央領域７７に向かって上方向に傾斜している。これは、下縁の幅ｗ１が上縁の幅ｗ２より広いことによって示される。
【００６３】
横方向アーム９７の端部は、水平中間面「ｘ」の実質的に下方に配置され、水平中間面「ｘ」は、正面および垂直面ｙに対して垂直であり、エルボ接続アパーチャ７７の中心を通過する。したがって、横方向アーム９７は、マスクフレーム５の下半分に向かってテーパ状になっている。
【００６４】
図５は、マスクフレーム５の対応する直交上面図を示す。それは、横方向アーム９７がまた、平面の表面８１から後方向に（遠位から近位に）延在することを示す。
【００６５】
図６は、マスクフレーム５の対応する直交側面図を示す。下縁マージン９５の端部が上縁マージン９３の端部より正面に近いことが分かる。これにより、ポスト１０１の長さが、正面と鋭角αを形成することになる。
【００６６】
図７は、使用者Ｕに対する使用時の呼吸マスク１の側面図である。使用時、使用者Ｕが直立している場合、正面は傾斜していることが分かる。（図６を参照して上述した）ポスト１０１の角度は、ヘッドギア１３によって加えられる保持力Ｆがポスト１０１の角度に対して実質的に垂直であるようなものである。これにより、ヘッドギア１３とマスクフレーム５との間のねじり力は最小限になり、したがって、使用者Ｕにおける呼吸マスク１の安定性が向上する。横方向アーム９７は、横方向アーム９７の端部から使用者の側頭と耳との間の領域まで延在する方向に沿って延在するように、上方に傾斜している。
【００６７】
言い換えれば、横方向すなわち側部アーム９７は３次元曲率を有している。使用時、横方向アーム９７は、フレーム５の中心から外側に、患者の耳に向かって後方に、かつ鼻の下から側頭と耳の頂部との間の箇所まで進むベクトルに沿って延在する。さらに、横方向アーム９７は、それらの長さに沿って「ねじれ」、それにより、横方向アーム９７の端部の下隅は、たとえば、図５に示すように、上隅より中心垂直面から離れて配置される。
【００６８】
横方向アーム９７をマスクフレーム５の下半分に配置することにより、使用者の顔面における呼吸マスクの安定性が向上する。マスクフレーム５および封止クッション３に対してヘッドギア１３によって加えられる保持力Ｆは、主に、封止クッション３の側部を通して加えられる。これにより、保持力は主に使用者の鼻、使用者の上唇および頬の下面に加えられることになる。これにより、力を分散させることができる表面積が広くなり、したがって安定性が向上する。より広い表面積にわたって力を分散させることにより、不快をもたらす可能性がある使用者の顔面に対するいかなる圧点も最小限にすることができる。
横方向アーム９７がマスクフレーム５の上でより高く配置された場合、力ベクトルＦは、主に使用者の鼻の先端に加えられ、それにより、呼吸マスク１に対する安定性が低下する可能性がある。これにより、使用者の鼻の先端に対する圧点の形態で使用者に対して不快がもたらされる可能性もある。
【００６９】
横方向アーム９７を下方に配置することにより、呼吸マスク１に対して、より最小限の外観が与えられる。マスクフレーム５は、使用時、実質的に鼻の下方に配置されるため、それほど目に入らなくなり、したがって、使用者の顔面において著しく目立つことがなくなる。ポスト９９の角度と組み合わせて横方向アーム９７を下方に配置することによってもまた、ヘッドギア１３が、眼の下からより離れた場所で使用者の頬の上を通ることになる。これは、ヘッドギア１３が使用者の周辺視野内に入る可能性が低くなり、マスク１が目障りでなくなり着用がより快適になるという点で有益である。
【００７０】
エルボおよびディフューザ
図８および図８Ａ〜図８Ｆに、上述したエルボ１７と同様であって、エルボ接続アパーチャ７７（たとえば、図１および図３ａを参照）に接続するように構成された、エルボ１１７を示す。エルボ１１７は、ボールジョイント部分１２１および幅広底部１２３を含む。細長いチューブ部分１２５が、ボールジョイント部分１２１および幅広底部１２３を接続している。細長いチューブ部分１２５は、幅広底部１２３、およびボールジョイント部分１２１の最大径より、幅が狭い。細長いチューブ部分１２５は、（使用時、使用者およびマスクから離れる方向に面する）長い正面部分１２７と、（使用時、使用者およびマスクフレーム５に向かう方向に面する）短い背面部分１２９とを含む。細長いチューブ部分１２５は、切頭頂部１３１を形成し、そこでは、長い正面部分１２７および短い背面部分１２９がボールジョイント部分１２１に接続する。この構成では、細長いチューブ部分１２５は、概して、角度Φを有するエルボを形成する。
【００７１】
細長いチューブ部分１２５の長い正面部分１２７は、使用中のＣＯ２ウォッシュアウトのための複数のバイアス流穴１３５を含む。複数のバイアス流穴１３５は、長い正面部分１２７の長さに沿って列で配置されている。特に、図示するように、複数のバイアス流穴１３５は、２つの列の２つの部分または領域で配置され、細長いチューブ部分１２５の２つの部分または領域の間に空間がある。各部分または領域内の列は、ずれており、それにより、各行のバイアス流穴は互いに対して入れ子になっており、すなわち、１つの列のバイアス流穴は、少なくとも部分的に、別の列のバイアス流穴の間の空間内で入れ子になっている。細長いチューブ部分１２５は、各々が切欠き１３９を有する側面部分１３７をさらに含む。切欠き１３９は、対応する形状を有するディフューザ本体の一部を受け入れるように構成されている。
【００７２】
幅広底部１２３は、導管受入部分１４１から同心状にずれている短いチューブ部分であり、それにより、それらの２つの間に環状チャネル１４３が形成されている。導管受入部分１４１は、その外面に可撓性ガス供給導管９を受け入れるように構成されている。環状チャネル１４３は、可撓性ガス供給導管９の端部を受け入れかつ保持するように構成されている。導管９受入部分は、突出部であり得る保持構造を含み、それは、この例ではねじ山１４５であり、それは、可撓性ガス供給導管９を保持するように構成されている。幅広底部１２３は、可撓性ガス供給導管９の端部を隠すように構成されている。したがって、可撓性導管９の端部は、エルボ１１７の上にねじ込まれて、導管９をエルボ１１７の上で保持する。
【００７３】
図９Ａ〜図９Ｄに、エルボ１１７に接続するように構成されたディフューザ１５１を示し、それは、バイアス流穴１３５から排出されるガスがディフューザ１５１を通過するように、バイアス流穴１３５を覆う。ディフューザ１５１は、ディフューザ本体１５３とディフューザ材料１５５の１つまたは複数の領域とを備える。ディフューザ本体１５１は、２つの側面１５７とそれらの間の正面領域１５９とを有する実質的に剛性のプラスチック構成要素を備える。ディフューザ本体１５３は、エルボ１１７の細長いチューブ部分１２５の曲率を賞賛する曲率を有するように構成され、一方の側方部分から正面部分を横切って他方の側方部分まで延在している。ディフューザ本体１５３は、１つまたは複数のディフューザ開口部１６１と一対のグリップタブ１６３とをさらに備える。ディフューザ開口部１６１は、使用時にバイアス流穴１３５の上に部分的に重なるように正面領域１５９に配置されている。本開示のこの実施形態例では、ディフューザ開口部１６１は、格子部材１６５によって分離されている。
【００７４】
グリップタブ１６３は、ディフューザ本体１５３の側面１５７の各々の縁からおよそ垂直に延在し、実質的に台形の輪郭を有する。それらは、ディフューザ１５１を、エルボ１１７から取り外す間に、使用者の親指と人差し指との間で把持することができるように構成されている。
【００７５】
ディフューザ本体１５３は、使用時に、エルボ１１７の細長いチューブ部分１２５に対して近位側であるように構成されている内側面１６７を有する。内側面１６７は、一対の係合タブ１６９を備える。係合タブ１６９は、グリップタブ１６３の各々から内向きに延在し、エルボ１１７の切欠き１３９と係合するように構成され、それにより、ディフューザ１５１はエルボ１１７上で保持される。
【００７６】
ディフューザ材料１５５の領域は、ディフューザ開口部１６１を充填するように構成され、吐出空気が通過する曲がりくねった通路を提供する。ディフューザ材料１５５は、任意の通気性または多孔性材料であり得る。使用時、ディフューザ材料１５５は、バイアス流穴１３５と同一平面であり、したがって、バイアス流穴１３５から排出される空気がディフューザ材料１５５を通って拡散されるのを確実にする。
【００７７】
図１０Ａ〜図１０Ｄは、エルボ１１７およびディフューザ１５１を示し、そこでは、ディフューザ１５１は、バイアス流穴１３５が覆われるようにエルボ１１７に接続されている。エルボ１１７の細長いチューブ部分１２５の幅が狭いため、ディフューザ１５１は、ここでは、エルボ１１７の幅広底部分１２３の外径と実質的に等しい幅を有するように構成することができる。さらに、エルボ１１７の細長いチューブ部分１２５により、バイアス流穴１３５の列を長くすることができ、したがって、エルボ１１７、したがってエルボ１１７およびディフューザ１５１の幅を狭くすることができる。これにより、エルボ１１７及びディフューザ１５１アセンブリに対してより小さくかつかさばらない外観が与えられる。
【００７８】
ヘッドギア
図１および図７に示すように、呼吸マスク１は、ヘッドギア１３によって使用者の頭部の適所に固定される。ヘッドギア１３は３部品構造を備え、そこでは、３つの部品は、一対の側部ストラップ１７１および後部１７３を含む。側部ストラップ１７１は、一端では後部１７３に接合し、他端ではヘッドギアクリップ１７５に接続されるように構成されている。側部ストラップ１７１は、限定されないが超音波溶接、高周波溶接、接着剤または縫合を含む任意の好適な手段により、後部１７３に接合することができる。ヘッドギアクリップ１７５に接続する側部ストラップ１７１の端部は、ヘッドギアサイズを調整するための固定タブ１７７を備える。固定タブ１７７は、限定されないがＶｅｌｃｒｏ（商標）等、フック・ループコネクタのフック要素を備える。固定タブ１７７は、側部ストラップ１７１の長さ、したがってヘッドギア１３のサイズを固定するために、側部ストラップ１７１の外面に取り付けられるように構成されている。後部１７３は、使用者の頭部の後頭領域と係合するように構成された上部ストラップ１７３ａおよび下部ストラップ１７３ｂを有する二又構成要素を備える。ヘッドギア１３は、限定されないが、Ｎｅｏｐｒｅｎｅ、ＴＰＥ、ＢｒｅａｔｈｏｐｒｅｎｅＴＭもしくは編布、または材料の任意の組合せを含む、本技術分野において既知である任意の好適な非伸縮性材料または伸縮性材料から作製することができる。好ましい実施形態では、後部１７３および側部ストラップ１７１は、対照をなす色で単一材料から作製される。代替実施形態では、側部ストラップ１７１に対して異なる材料から後部１７３を作製することができる。さらなる代替実施形態では、後部１７３および側部ストラップ１７１は単色であり得る。
【００７９】
閉ループヘッドギア
図１１Ａおよび図１１Ｂは、閉ループヘッドギア１３を備えるマスクアセンブリ１の限定しない例示的な実施形態のそれぞれ斜視図および上面図を示す。マスクアセンブリ１は、二又ヘッドギア１３に取り付けられている。前方ストラップ１７１が、後方の二又部分１７３から前方に延在している。前方ストラップ１７１は、バックル１７９を通過した後、マスクアセンブリ１に取り付けられているフック１０１を通過する。各前方ストラップ１７１は、折り返されて、バックル１７９を通過する。
【００８０】
図１１Ａおよび図１１Ｂに示すヘッドギア１３は、閉ループヘッドギアであり、それは、ヘッドギアの長さを最小の長さから最大の長さまで調整することができるが、完全に取り外すことはできないことを意味する。閉ループ構成は望ましい可能性があり、それは、ヘッドギア１３は、分解することができず、したがって不適当に再度組み立てられる可能性がないためである。ヘッドギア１３は、限定されないが、Ｎｅｏｐｒｅｎｅ、ＴＰＥ、Ｂｒｅａｔｈｏｐｒｅｎｅ（商標）または編布を含む、本技術分野において既知である任意の好適な非伸縮性材料または伸縮性材料から作製することができる。
【００８１】
図１２Ａ〜図１２Ｆは、図１１Ａおよび図１１Ｂに示したような、閉ループヘッドギア１３で使用されるバックル１７９の限定しない例示的な実施形態を示す。図１２Ａおよび図１２Ｂは、バックル１７９のそれぞれ内側の図および外側の図を示す。図示するように、バックル１７９は、底面１８１および上面１８３を含む。上面１８１と底面１８３との間から、内側ポスト１８５、中心ポスト１８７および外側ポスト１８９が延在している。
内側ポスト１８５と中心ポスト１８７との間に、摩擦ループ開口部１９１がある。外側ポスト１８９と中心ポスト１８７との間に、正面開口部１９３および外側開口部１９５を備える通路がある。正面開口部１９３および外側開口部１９５は、ずれて、傾斜通路を形成している。さらに、外側ポスト１８９の内側に、ストラップ取付面１９７が配置されている。
【００８２】
図１２Ｃおよび図１２Ｄに、バックル１７９の斜視断面を、特に内部の特徴を示すように示す。中心ポスト１８７に、中心ポスト肩部１９９および中心ポスト凹部２０１がある。
【００８３】
図１２Ｅおよび図１２Ｆに、バックルのそれぞれ正面図および背面図を、特に上述した特徴のさらなる図を示すように示す。
【００８４】
図１３Ａおよび図１３Ｂは、閉ループヘッドギア１３において使用されるバックル１７９およびストラップ１７１の外側斜視図である。図示するように、後方部分１７３から前方に延在するストラップ１７１は、内側ポスト１８５と中心ポスト１８７との間でバックル１７９を通過する。ストラップ１７１は、続いて、フック（たとえば図１１Ａを参照）を通過し、折り返して、バックル１７９の中心ポスト１８７および外側ポスト１８９を通って戻る。ストラップ１７１は、バックル１７９を通って延在するグリップストラップ端部２０５を含む。グリップストラップ端部２０５は、親指と１つまたは複数の指との間でつかむのに十分に長い長さを有する。さらなる把持のためにくぼみ２０７が設けられている。
【００８５】
図１４Ａおよび図１４Ｂは、調整可能な閉ループ２０９を形成する、バックル１７９を通過してしているストラップ１７１の断面を示す。ストラップ１７１は、内側ポスト１８５と中心ポスト１８７との間に形成された摩擦ループ開口部１９１を通過する。ストラップ１７１は、バックル１７９を通り、正面開口部１９３から外側開口部１９５の間に形成された傾斜通路を通って戻る。
【００８６】
図示するように、バックル１７９は、ストラップ１７１に対して相対的に傾斜している。ストラップ１７１が摩擦ループ開口部１９１を通過する際の角度の結果として、ストラップ１７１が張力下にあるときに摺動するのを制限する摩擦力を発生させる、締り嵌めコーナ１９２がある。特に、ストラップ１７１が摩擦ループ開口部を通過するストラップ１７１の平面は、バックル１７９の平面に対して傾斜しており、それにより、ストラップ１７１は、バックル１７９に対して垂直でも平行でもない。
【００８７】
ストラップ１７１は、外側ポスト１８９の内側に位置するストラップ取付面２１１（たとえば図１２Ａを参照）においてバックル１７９に永久的に取り付けられている。ストラップ１７１がバックル１７９に永久的に取り付けられているため、ヘッドギア１３を分解することができない（すなわち、調整可能な閉ループのフックを取り外すことができない）。限定しないが、超音波溶接、高周波溶接、接着剤または縫合を含む任意の好適な手段により、ストラップ取付面２１１にストラップ１７１を取り付けることができる。
【００８８】
図１５Ａおよび図１５Ｂは、それぞれ摺動モードおよび摩擦モードにある閉ループヘッドギア１３を示す。図１５Ａでは、グリップストラップ端部２０５に引張力２０４が加えられる。この引張力により、バックル１７９が引張力の方向において（図示するように左回りに）回転する２０６。「回転した」バックル１７９を、図１５Ａでは破線の矩形で表す。ストラップ１７１が、ストラップ取付面２１１においてバックル１７９に取り付けられているため、バックル１７９は引張力によって回転する。バックル１７９が回転する際、バックル１７９、特に摩擦ループ開口部１９１は、ストラップ１７１が開口部１９１を通して摺動する２０８ことにより、より垂直になる。その結果、締り嵌めコーナ１９２（たとえば、図１４Ｂを参照）における締り嵌め、したがって摩擦力が低減する。これにより、ストラップ１７１が、摩擦ループ開口部１９１を自由に（または少なくともより低い抵抗で）通過することができ、したがって調整が可能になる。
【００８９】
別法として、図１５Ｂに示すように、たとえば、マスクアセンブリ１が使用されているとき、張力２１０が加えられる。張力２１０により、バックル１７９が張力の方向に（図示するように右回りに）回転する２０２。バックル１７９が回転すると、バックル、特に摩擦ループ開口部１９１は、ストラップ１７１に対してより傾斜して、開口部１９１を通過する。「回転した」バックル１７９を、図１５Ｂでは破線の矩形として表す。その結果、締り嵌めコーナ（たとえば、図１４Ｂを参照）における締り嵌めが増大し、したがて、摩擦ループ開口部１９１とそこを通過するストラップ１７１との間の摩擦力が増大する。
【００９０】
ヘッドギアコネクタアセンブリ
図１６Ａ〜図１６Ｆを参照すると、フック・ポスト型ヘッドギアコネクタアセンブリ２２１を用いてマスクフレーム５にヘッドギア１３が接続されている。一例では、マスクフレーム５は、各横方向アーム９７にポスト１０１を備える。各ヘッドギアクリップ１５が、ヘッドギア１３をマスクフレーム５に接続するために、マスクフレーム５のそれぞれのポスト１０１を受け入れるように構成されたフック１５ａを備える。
【００９１】
一実施形態では、各ヘッドギアクリップ１５は、マスクフレーム５のそれぞれのポスト１０１を中心に自由に回転することができる。ポスト１０１は、マスク１およびヘッドギア１３の通常の使用時に概して垂直に向けられ、したがって、側部ストラップ１７１は、概して垂直の枢支軸を中心に横方向に回転する。これには、マスク１およびヘッドギア１３が使用者の頭部に配置される前に、ヘッドギア１３の側部ストラップ１７１が、マスクフレーム５のポスト１０１の周囲で、ヘッドギア１３の一部がマスク１に隣接し、したがって使用者の顔面に位置しているマスク１を妨げる位置まで枢動している、という影響がある可能性がある。したがって、ヘッドギア１３の側部ストラップ１７１は、マスクフレーム５のポスト１０１の周囲で回転する可能性があり、それにより、側部ストラップ１７１はシール本体５３の内側を妨げる。これにより、マスク１およびヘッドギア１３が、着用が困難であるかまたは不都合になる可能性がある。
【００９２】
ヘッドギア１３とマスクフレーム５との間の相対回転運動を阻止し、制限し、またはその範囲を制御することができ、特に、マスクフレーム５に対するヘッドギア１３の側部ストラップ１７１の回転の範囲を制限することができることが望ましい場合がある。
【００９３】
図１６Ａ〜図１６Ｆをさらに参照すると、一実施形態では、マスクフレーム５のポスト１０１およびヘッドギアクリップ１５のフック１５ａは、各々、それぞれの動き制限構造を備えている。これらの構造は、マスクフレーム５とヘッドギア１３との間、より詳細には、マスクフレーム５とヘッドギア１３の側部ストラップ１７１との間の相対回転運動を阻止するように係合するように配置される。したがって、マスク１とヘッドギア１３との間のヘッドギアコネクタアセンブリ２２１は、ヘッドギア１３の側部ストラップ１７１が、マスク１を妨げる位置、特にシール本体５３の内側まで、マスクフレーム５に対して回転するのを防止するのに役立つように、回転制限機能を実行する。
【００９４】
一実施形態では、マスクフレーム５の各ポスト１０１は、ポスト１０１の軸に対して垂直な平面において、特にポスト１０１の周囲に延在する溝または凹部２２５を形成する、ポスト１０１の残りの部分に比較して直径が低減した凹状領域を備える。上方から、すなわちポスト１０１の軸に沿って見ると、溝または凹部２２５は、ポスト１０１の一部のみの周囲に延在し、すなわち、溝または凹部２２５は部分円周である。溝または凹部２２５は、たとえば、約１８０°を通して延在することができる。したがって、溝または凹部２２５は、２つの対向する端部２２５ａ、２２５ｂを備え、そこで、溝または凹部２２５は、ポスト１０１の非凹状部と接する。これらの端部２２５ａ、２２５ｂは、端部止め具を構成する動き制限構造である。
【００９５】
各フック１５ａもまた、動き制限機構を備え、それは、一例では、フック１５ａの内面に、すなわち、使用時にポスト１０１を受け入れるフック１５ａの一部に、端部止め具として機能する出っ張りまたは突出部２２７を備える。ポスト１０１が、フック１５ａに受け入れられる（それは、スナップフィット型接続を用いてあり得る）と、フック１５ａの出っ張り２２７が溝または凹部２２５内で移動して、ポスト１０１とフック１５ａとの間で相対回転が発生することができる。これにより、ヘッドギア１３の側部ストラップ１７１は、マスクフレーム５のポスト１０１の周囲を限られた範囲まで枢動することができる。側部ストラップ１７１がマスクフレーム５に対して所定距離回転したとき、出っ張り２２７は、溝または凹部２２５の一端に達し、溝または凹部の端部止め具２２５ａ、２２５ｂと当接し、この当接により、フック１５ａとポスト１０１との間のさらなる相対回転が阻止される。したがって、出っ張り２２７は、出っ張り２２７がそれ以上移動する前に、溝または凹部２２５に沿って所定距離移動することができ、したがって、マスクフレーム５に対する側部ストラップ１７１の回転が防止される。
【００９６】
別の実施形態では、フック１５ａおよびポスト１０１を反対にすることができ、フック１５ａはマスクフレーム５に設けられ、ポスト１０１はヘッドギアクリップ１５に設けられることが理解されよう。同様に、ポスト１０１に出っ張りまたは突出部２２７を形成することができ、フック１５ａに溝または凹部２２５を形成することができることが企図される。
【００９７】
ポスト１０１の長さに沿った任意の位置に、すなわちポスト１０１の任意の軸方向位置に、溝または凹部２２５を設けることができる。２つ以上の溝または凹部２２５および出っ張り２２７を設けることができる。ポスト１０１とフック１５ａとの間の所望の相対回転の角度を達成するように、溝もしくは凹部２２５の長さおよび／または出っ張り２２７のサイズを選択することができる。
【００９８】
少なくとも１つの実施形態では、溝または凹部２２５は、左側ポスト１０１において第１垂直間隔で配置され、溝または凹部２２７は、右側に第２垂直間隔で配置される。いくつかの実施形態では、第１垂直間隔および第２垂直間隔は異なる。対応する左フック１５ａおよび右フック１５ａは突出部２２５を含み、突出部２２５は、左フック１５ａおよび右フック１５ａが左側ポスト１０１または右側ポスト１０１のうちの一方に接続可能であるように、第１垂直高さおよび第２垂直高さにある。
【００９９】
別段文脈から明らかに必要でない限り、明細書および特許請求の範囲を通して、「備える、含む」、「備えている、含んでいる」等の用語は、排他的または網羅的な意味とは反対に、包括的な意味で、すなわち、「限定されないが〜を含む」という意味で解釈されるべきである。
【０１００】
本明細書におけるにおけるあらゆる従来技術への言及は、その従来技術が、世界中のいかなる国においても努力傾注分野において共通の一般知識の一部を形成するという承認またはいかなる形態の示唆でもなく、かつそのように解釈されるべきではない。
【０１０１】
本明細書に開示する発明が、広く、本出願の明細書において個々にまたはまとめて言及するかまたは示す部分、要素および特徴に（前記部分、要素または特徴のうちの２つ以上のいずれかまたはすべての組合せで）あると言うことも可能である。
【０１０２】
上述した説明において、既知の均等物を有する完全体または構成要素について言及している場合、それらの完全体は、個々に示されているかのように本明細書に組み込まれる。
【０１０３】
本明細書に記載する現時点で好ましい実施形態に対するあらゆる変形および変更は、当業者には明らかとなることは留意するべきである。こうした変形および変更は、本発明の趣旨および範囲から逸脱することなく、かつその付随する利点を減ずることなく行うことができる。たとえば、さまざまな構成要素に対して、要求に応じて位置を変えることができる。したがって、こうした変形および変更が、本発明の範囲内に含まれることが意図されている。さらに、本発明を実施するために、特徴、態様および利点のすべてが必ずしも必要であるとは限らない。したがって、本発明のうちの少なくともいくつかの範囲は、以下の特許請求の範囲によってのみ定義されるように意図されている。
【図１】
2020179194.tif 000003
【図１ａ】
2020179194.tif 000004
【図１ｂ】
2020179194.tif 000005
【図１ｃ】
2020179194.tif 000006
【図２ａ】
2020179194.tif 000007
【図２ｂ】
2020179194.tif 000008
【図３ａ】
2020179194.tif 000009
【図３ｂ】
2020179194.tif 000010
【図４】
2020179194.tif 000011
【図５】
2020179194.tif 000012
【図６】
2020179194.tif 000013
【図７】
2020179194.tif 000014
【図８】
2020179194.tif 000015
【図８Ａ】
2020179194.tif 000016
【図８Ｂ】
2020179194.tif 000017
【図８Ｃ】
2020179194.tif 000018
【図８Ｄ】
2020179194.tif 000019
【図８Ｅ】
2020179194.tif 000020
【図８Ｆ】
2020179194.tif 000021
【図９Ａ】
2020179194.tif 000022
【図９Ｂ】
2020179194.tif 000023
【図９Ｃ】
2020179194.tif 000024
【図９Ｄ】
2020179194.tif 000025
【図１０Ａ】
2020179194.tif 000026
【図１０Ｂ】
2020179194.tif 000027
【図１０Ｃ】
2020179194.tif 000028
【図１０Ｄ】
2020179194.tif 000029
【図１０Ｅ】
2020179194.tif 000030
【図１１Ａ】
2020179194.tif 000031
【図１１Ｂ】
2020179194.tif 000032
【図１２Ａ】
2020179194.tif 000033
【図１２Ｂ】
2020179194.tif 000034
【図１２Ｃ】
2020179194.tif 000035
【図１２Ｄ】
2020179194.tif 000036
【図１２Ｅ】
2020179194.tif 000037
【図１２Ｆ】
2020179194.tif 000038
【図１３Ａ】
2020179194.tif 000039
【図１３Ｂ】
2020179194.tif 000040
【図１４Ａ】
2020179194.tif 000041
【図１４Ｂ】
2020179194.tif 000042
【図１５Ａ】
2020179194.tif 000043
【図１５Ｂ】
2020179194.tif 000044
【図１６Ａ】
2020179194.tif 000045
【図１６Ｂ】
2020179194.tif 000046
【図１６Ｃ】
2020179194.tif 000047
【図１６Ｄ】
2020179194.tif 000048
【図１６Ｅ】
2020179194.tif 000049
【図１６Ｆ】
2020179194.tif 000050
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
患者に呼吸ガスを送達する患者マスク用のマスクフレームであって、
呼吸ガス送達導管に接続されるように構成された導管接続アパーチャを備える中央領域であって、概念的な中心垂直平面が前記導管接続アパーチャの中心を通って延在する、中央領域と、
各々が前記中心垂直平面から離れる方向に前記中央領域から外側に延在している、第１横方向アームおよび第２横方向アームと、
を備え、
各横方向アームが、ある長さを有し、前記中央領域から遠い遠位端で終端し、各横方向アームが上部マージンおよび下部マージンを備え、
各横方向アームがその長さに沿ってねじれ、それにより、各横方向アームの端部における前記下部マージンが、各横方向アームの前記端部における前記上部マージンより前記概念的な中心垂直平面から離れて配置される、マスクフレーム。
【請求項２】
前記横方向アームが、
前記フレームの前記中央領域から横方向に外側に、
患者の耳に向かって後方に、かつ
前記横方向アームが、上方に傾斜し、それにより、前記横方向アームの前記端部から前記使用者の側頭と耳との間の領域まで延在する方向に沿って延在するように、上方に、
延在している、請求項１に記載のマスクフレーム。
【請求項３】
前記横方向アームが、前記鼻の下方から前記耳の頂部における前記側頭の間の箇所まで進むベクトルに沿って上方に延在している、請求項２に記載のマスクフレーム。
【請求項４】
各横方向アームが平面ストリップを備え、各ストリップの端部が、前記上部マージンおよび前記下部マージンそれぞれにおいて上隅および下隅を画定し、前記側部アームが、それらの長さに沿ってねじれ、それにより、前記横方向アームの前記端部の前記下隅が前記上隅より前記フレームの前記中央領域から離れて配置される、請求項１〜３のいずれか一項に記載のマスクフレーム。
【請求項５】
各横方向アームが、その長さに沿ってテーパ状であり、すなわち、前記上部マージンと前記下部マージンとの間の距離が、各横方向アームの長さの少なくとも一部に沿って低減している、請求項４に記載のマスクフレーム。
【請求項６】
前記横方向アームの前記端部が、前記エルボ接続アパーチャの中心を通る概念的な水平中間平面の下方に配置されている、請求項１〜５のいずれか一項に記載のマスクフレーム。
【請求項７】
各アームの前記端部が、前記フレームをヘッドギアに接続するように構成されたヘッドギアコネクタを備える、請求項１〜６のいずれか一項に記載のマスクフレーム。
【請求項８】
前記ヘッドギアコネクタが、ヘッドギアに取り付けられたヘッドギアクリップのフックのための接続箇所を提供するように構成されたループおよびポストを備える、請求項に記載のマスクフレーム。
【請求項９】
前記ヘッドギアコネクタが、前記ヘッドギアコネクタに接続されたヘッドギアと前記マスクフレームとの間の相対回転を制限するように構成された回転制限構造を備える、請求項７または８に記載のマスクフレーム。
【請求項１０】
前記回転制限構造が、前記マスクフレームと前記へドギアとの間の所定量の相対回転の後に前記ヘッドギアが当接する、端部止め具を備える、請求項９に記載のマスクフレーム。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
患者に呼吸ガスを送達する患者マスク用のマスクフレームであって、
呼吸ガス送達導管に接続されるように構成された導管接続アパーチャを備える中央領域であって、概念的な中心垂直平面が前記導管接続アパーチャの中心を通って延在する、中央領域と、
各々が前記中心垂直平面から離れる方向に前記中央領域から外側に延在している、第１横方向アームおよび第２横方向アームと、
を備え、
各横方向アームが、ある長さを有し、前記中央領域から遠い遠位端で終端し、各横方向アームが上部マージンおよび下部マージンを備え、
各横方向アームがその長さに沿ってねじれ、それにより、各横方向アームの端部における前記下部マージンが、各横方向アームの前記端部における前記上部マージンより前記概念的な中心垂直平面から離れて配置される、マスクフレーム。
【請求項２】
前記横方向アームが、
前記フレームの前記中央領域から横方向に外側に、
患者の耳に向かって後方に、かつ
前記横方向アームが、上方に傾斜し、それにより、前記横方向アームの前記端部から前記使用者の側頭と耳との間の領域まで延在する方向に沿って延在するように、上方に、
延在している、請求項１に記載のマスクフレーム。
【請求項３】
前記横方向アームが、前記鼻の下方から前記耳の頂部における前記側頭の間の箇所まで進むベクトルに沿って上方に延在している、請求項２に記載のマスクフレーム。
【請求項４】
各横方向アームが平面ストリップを備え、各ストリップの端部が、前記上部マージンおよび前記下部マージンそれぞれにおいて上隅および下隅を画定し、前記側部アームが、それらの長さに沿ってねじれ、それにより、前記横方向アームの前記端部の前記下隅が前記上隅より前記フレームの前記中央領域から離れて配置される、請求項１〜３のいずれか一項に記載のマスクフレーム。
【請求項５】
各横方向アームが、その長さに沿ってテーパ状であり、すなわち、前記上部マージンと前記下部マージンとの間の距離が、各横方向アームの長さの少なくとも一部に沿って低減している、請求項４に記載のマスクフレーム。
【請求項６】
前記横方向アームの前記端部が、前記エルボ接続アパーチャの中心を通る概念的な水平中間平面の下方に配置されている、請求項１〜５のいずれか一項に記載のマスクフレーム。
【請求項７】
各アームの前記端部が、前記フレームをヘッドギアに接続するように構成されたヘッドギアコネクタを備える、請求項１〜６のいずれか一項に記載のマスクフレーム。
【請求項８】
前記ヘッドギアコネクタが、ヘッドギアに取り付けられたヘッドギアクリップのフックのための接続箇所を提供するように構成されたループおよびポストを備える、請求項７に記載のマスクフレーム。
【請求項９】
前記ヘッドギアコネクタが、前記ヘッドギアコネクタに接続されたヘッドギアと前記マスクフレームとの間の相対回転を制限するように構成された回転制限構造を備える、請求項７または８に記載のマスクフレーム。
【請求項１０】
前記回転制限構造が、前記マスクフレームと前記へドギアとの間の所定量の相対回転の後に前記ヘッドギアが当接する、端部止め具を備える、請求項９に記載のマスクフレーム。
【外国語明細書】
2020179194000001.pdf